(57)【特許請求の範囲】
【請求項１】
円筒部（５１１）と、この円筒部（５１１）の周面から第１径方向側に突出すると共に周方向に配列された複数のティース部（５１２）とを有するステータコア（５１０）と、
上記ステータコア（５１０）の上記ティース部（５１２）に巻回されたコイル（５２０）と、
周方向において隣り合う上記ティース部（５１２）の間の空間であるスロット部（５１４）内に配置されると共に、上記ステータコア（５１０）と上記コイル（５２０）との間に挟まれるスロット絶縁体（７１）と、
周方向において隣り合う上記コイル（５２０）の間に配置されると共に、少なくとも２つに折り返され、第１径方向側に第１の端部（７２１）と第２の端部（７２２）とを有するコイル間絶縁体（７２）と
を備え、
上記スロット絶縁体（７１）は、周方向において隣り合う一方の上記ティース部（５１２）の第１径方向側の先端部（５１２Ａ）における周方向の端部（５１２ａ）よりも上記スロット部（５１４）側に突出する第１の突出部（７１１ａ，７１１ｂ）と、他方の上記ティース部（５１２）の第１径方向側の先端部（５１２Ａ）における周方向の端部（５１２ｂ）よりも上記スロット部（５１４）側に突出する第２の突出部（７１２ａ，７１２ｂ）とを有し、
上記コイル間絶縁体（７２）の上記第１の端部（７２１）は、周方向において隣り合う上記ティース部（５１２）の上記先端部（５１２Ａ）間のスロット開口部（５１５）を第２径方向に投影した領域内にあり、かつ、上記スロット絶縁体（７１）の上記第１の突出部（７１１ａ，７１１ｂ）の第２径方向側に対向し、
上記コイル間絶縁体（７２）の上記第２の端部（７２２）は、上記スロット開口部（５１５）を第２径方向に投影した領域内にあり、かつ、上記スロット絶縁体（７１）の上記第２の突出部（７１２ａ，７１２ｂ）の第２径方向側に対向していることを特徴とするステータ。
【請求項２】
請求項１に記載のステータにおいて、
上記コイル間絶縁体（７２）の上記第１の端部（７２１）は、上記スロット絶縁体（７１）の上記第１の突出部（７１１ａ，７１１ｂ）に当接し、上記コイル間絶縁体（７２）の上記第２の端部（７２２）は、上記スロット絶縁体（７１）の上記第２の突出部（７１２ａ，７１２ｂ）に当接していることを特徴とするステータ。
【請求項３】
請求項１に記載のステータにおいて、
上記コイル間絶縁体（７２）の上記第１の端部（７２１）は、上記スロット絶縁体（７１）の上記第１の突出部（７１１ｂ）から離間し、上記コイル間絶縁体（７２）の上記第２の端部（７２２）は、上記スロット絶縁体（７１）の上記第２の突出部（７１２ｂ）から離間していることを特徴とするステータ。
【請求項４】
請求項１から３のいずれか１つに記載のステータにおいて、
上記スロット絶縁体（７１）の上記第１の突出部（７１１ａ，７１１ｂ）の先端部と、上記スロット絶縁体（７１）の上記第２の突出部（７１２ａ，７１２ｂ）の先端部とは、互いに離隔していることを特徴とするステータ。
【請求項５】
請求項１から４のいずれか１つに記載のステータにおいて、
上記コイル（５２０）の周方向の端面（５２０ａ）は、上記ステータコア（５１０）の上記ティース部（５１２）の先端部（５１２Ａ）における周方向の端部（５１２ａ，５１２ｂ）よりも周方向において隣り合う上記コイル（５２０）間の周方向の中心側に位置していることを特徴とするステータ。
【請求項６】
請求項１から５のいずれか１つに記載のステータにおいて、
上記コイル間絶縁体（７２）の上記第１の端部（７２１）と上記第２の端部（７２２）との少なくとも一方の端部（７２１，７２２）は、上記コイル間絶縁体（７２）の内側に折り返された内側折り返し部（７２７ａ，７２７ｂ，７２７ｃ）を有していることを特徴とするステータ。
【請求項７】
請求項６に記載のステータにおいて、
上記コイル間絶縁体（７２）の上記内側折り返し部（７２７ａ，７２７ｂ，７２７ｃ）の長さは、上記スロット絶縁体（７１）の上記第１の突出部（７１１ａ，７１１ｂ，）と上記第２の突出部（７１２）との間のスロット絶縁体開口部（７１５）の周方向の幅よりも大きいことを特徴とするステータ。
【請求項８】
請求項７に記載のステータにおいて、
上記内側折り返し部（７２７ａ，７２７ｂ，７２７ｃ）の長さは、周方向において隣り合う一方の上記ティース部（５１２）の第１径方向側の先端部（５１２Ａ）における周方向の端部（５１２ａ）と他方の上記ティース部（５１２）の第１径方向側の先端部（５１２Ａ）における周方向の端部（５１２ｂ）との間のスロット開口部（５１５）の周方向の幅よりも大きいことを特徴とするステータ。
【請求項９】
請求項１から８のいずれか１つに記載のステータにおいて、
上記コイル間絶縁体（７２）の上記第１の端部（７２１）と上記第２の端部（７２２）との少なくとも一方の端部（７２１，７２２）は、上記コイル間絶縁体（７２）の外側に折り返された外側折り返し部（７２６ａ，７２６ｂ）を有していることを特徴とするステータ。
【請求項１０】
請求項９に記載のステータにおいて、
上記コイル間絶縁体（７２）の上記外側折り返し部（７２６ａ，７２６ｂ）の長さは、上記スロット絶縁体（７１）の上記第１の突出部（７１１ａ，７１１ｂ，）と上記第２の突出部（７１２）との間のスロット絶縁体開口部（７１５）の周方向の幅よりも大きいことを特徴とするステータ。
【請求項１１】
請求項１０に記載のステータにおいて、
上記外側折り返し部（７２６ａ，７２６ｂ）の長さは、周方向において隣り合う一方の上記ティース部（５１２）の第１径方向側の先端部（５１２Ａ）における周方向の端部（５１２ａ）と他方の上記ティース部（５１２）の第１径方向側の先端部（５１２Ａ）における周方向の端部（５１２ｂ）との間のスロット開口部（５１５）の周方向の幅よりも大きいことを特徴とするステータ。
【請求項１２】
請求項６から８のいずれか１つに記載のステータにおいて、
上記コイル間絶縁体（７２）の上記第１の端部（７２１）および上記第２の端部（７２２）は、上記コイル間絶縁体（７２）の上記内側折り返し部（７２７ａ，７２７ｂ，７２７ｃ）を有し、これらの内側折り返し部（７２７ａ，７２７ｂ，７２７ｃ）は、互いに支え合っていることを特徴とするステータ。
【請求項１３】
請求項６から８のいずれか１つに記載のステータにおいて、
上記コイル間絶縁体（７２）の上記第１の端部（７２１）および上記第２の端部（７２２）は、上記コイル間絶縁体（７２）の上記内側折り返し部（７２７ａ，７２７ｂ，７２７ｃ）を有し、これらの内側折り返し部（７２７ａ，７２７ｂ，７２７ｃ）は、互いに係合し合う係合構造を有していることを特徴とするステータ。
【請求項１４】
請求項１から１３のいずれか１つに記載のステータにおいて、
上記スロット絶縁体（７１）の上記第１の突出部（７１１ｂ）と上記第２の突出部（７１２ｂ）との少なくとも一方の突出部（７１１ｂ，７１２ｂ）は、周方向よりも第２径方向側に向かって延在していることを特徴とするステータ。
【請求項１５】
請求項１から１４のいずれか１つに記載のステータにおいて、
上記ステータコア（５１０）の軸方向の両端面のそれぞれに対向して配置されたインシュレータ（５３０）を備え、
上記インシュレータ（５３０）は、上記コイル間絶縁体（７２）の軸方向の移動を規制するための凸部（５３５）を有していることを特徴とするステータ。
【請求項１６】
円筒部（５１１）と、この円筒部（５１１）の周面から第１径方向側に突出すると共に周方向に配列された複数のティース部（５１２）とを有するステータコア（５１０）と、
上記ステータコア（５１０）の上記ティース部（５１２）に巻回されたコイル（５２０）と、
周方向において隣り合う上記ティース部（５１２）の間の空間であるスロット部（５１４）内に配置されると共に、上記ステータコア（５１０）と上記コイル（５２０）との間に挟まれるスロット絶縁体（７１）と、
周方向において隣り合う上記コイル（５２０）の間に配置されると共に、少なくとも２つに折り返され、第１径方向側に第１の端部（７２１）と第２の端部（７２２）とを有するコイル間絶縁体（７２）と
を備え、
上記スロット絶縁体（７１）は、周方向において隣り合う一方の上記ティース部（５１２）の第１径方向側の先端部（５１２Ａ）における周方向の端部（５１２ａ）よりも上記スロット部（５１４）側に突出する第１の突出部（７１１ａ，７１１ｂ）と、他方の上記ティース部（５１２）の第１径方向側の先端部（５１２Ａ）における周方向の端部（５１２ｂ）よりも上記スロット部（５１４）側に突出する第２の突出部（７１２ａ，７１２ｂ）とを有し、
上記コイル間絶縁体（７２）の上記第１の端部（７２１）は、上記スロット絶縁体（７１）の上記第１の突出部（７１１ａ，７１１ｂ）の第２径方向側に対向し、上記コイル間絶縁体（７２）の上記第２の端部（７２２）は、上記スロット絶縁体（７１）の上記第２の突出部（７１２ａ，７１２ｂ）の第２径方向側に対向していると共に、
上記コイル間絶縁体（７２）の上記第１の端部（７２１）と上記第２の端部（７２２）との少なくとも一方の端部（７２１，７２２）は、上記コイル間絶縁体（７２）の内側に折り返された内側折り返し部（７２７ａ，７２７ｂ，７２７ｃ）を有しており、
上記スロット絶縁体（７１）の上記第１の突出部（７１１ａ，７１１ｂ）と上記第２の突出部（７１２ａ，７１２ｂ）の夫々は、第２径方向側に折れ曲がった状態で、上記コイル間絶縁体（７２）の上記内側折り返し部（７２７ａ，７２７ｂ，７２７ｃ）と対向していることを特徴とするステータ。
【請求項１７】
円筒部（５１１）と、この円筒部（５１１）の周面から第１径方向側に突出すると共に周方向に配列された複数のティース部（５１２）とを有するステータコア（５１０）と、
上記ステータコア（５１０）の上記ティース部（５１２）に巻回されたコイル（５２０）と、
周方向において隣り合う上記ティース部（５１２）の間の空間であるスロット部（５１４）内に配置されると共に、上記ステータコア（５１０）と上記コイル（５２０）との間に挟まれるスロット絶縁体（７１）と、
周方向において隣り合う上記コイル（５２０）の間に配置されると共に、少なくとも２つに折り返され、第１径方向側に第１の端部（７２１）と第２の端部（７２２）とを有するコイル間絶縁体（７２）と
を備え、
上記スロット絶縁体（７１）は、周方向において隣り合う一方の上記ティース部（５１２）の第１径方向側の先端部（５１２Ａ）における周方向の端部（５１２ａ）よりも上記スロット部（５１４）側に突出する第１の突出部（７１１ａ，７１１ｂ）と、他方の上記ティース部（５１２）の第１径方向側の先端部（５１２Ａ）における周方向の端部（５１２ｂ）よりも上記スロット部（５１４）側に突出する第２の突出部（７１２ａ，７１２ｂ）とを有し、
上記コイル間絶縁体（７２）の上記第１の端部（７２１）は、上記スロット絶縁体（７１）の上記第１の突出部（７１１ａ，７１１ｂ）の第２径方向側に対向し、上記コイル間絶縁体（７２）の上記第２の端部（７２２）は、上記スロット絶縁体（７１）の上記第２の突出部（７１２ａ，７１２ｂ）の第２径方向側に対向していると共に、
上記コイル間絶縁体（７２）の上記第１の端部（７２１）と上記第２の端部（７２２）との少なくとも一方の端部（７２１，７２２）は、上記コイル間絶縁体（７２）の外側に折り返された外側折り返し部（７２６ａ，７２６ｂ）を有しており、
上記コイル間絶縁体（７２）の上記外側折り返し部（７２６ａ，７２６ｂ）の先端側が上記コイル（５２０）の間に挟まれることにより、上記外側折り返し部（７２６ａ，７２６ｂ）が折り畳まれていることを特徴とするステータ。
【請求項１８】
ロータ（６）と、
このロータ（６）と径方向において対向するように配置された請求項１から１７までのいずれか一項に記載のステータ（５）と
を備えることを特徴とするモータ。
【請求項１９】
密閉容器（１）と、
この密閉容器（１）内に配置された圧縮機構部（２）と、
上記密閉容器（１）内に配置されると共に上記圧縮機構部（２）を駆動する請求項１８に記載のモータ（３）と
を備えることを特徴とする圧縮機。
【発明の詳細な説明】
【技術分野】
【０００１】
本発明は、ステータ、モータおよび圧縮機に関する。
【背景技術】
【０００２】
従来、ステータとしては、特開２０１０−２４６３２５号公報（特許文献１）に記載されているものがある。このステータは、環状に配列された複数の歯部を有するコアと、周方向に隣り合う歯部の間に配置された複数のコイル間絶縁体と、コアの軸方向の両端部に配置されたインシュレータと、コアの各歯部に巻回されたコイルとを備えている。各インシュレータのつば部には、コイル間絶縁体の軸方向の移動を規制する保持溝が設けられている。この保持溝にコイル間絶縁体の端部が挿入されることによって、コイル間絶縁体を固定している。
【先行技術文献】
【特許文献】
【０００３】
【特許文献１】特開２０１０−２４６３２５号公報
【発明の概要】
【発明が解決しようとする課題】
【０００４】
しかしながら、上記従来のステータでは、上記保持溝を設けるために、各インシュレータのつば部における径方向の厚さを大きくしていた。このため、インシュレータのつば部によって、コイルの巻数が低減し、コイルの占積率が低減するという問題があった。
【０００５】
そこで、本発明の課題は、コイルの占積率を低減することなく、コイル間絶縁体を固定できるステータ、モータおよび圧縮機を提供することにある。
【課題を解決するための手段】
【０００６】
上記課題を解決するため、本発明のステータは、
円筒部と、この円筒部の周面から第１径方向側に突出すると共に周方向に配列された複数のティース部とを有するステータコアと、
上記ステータコアの上記ティース部に巻回されたコイルと、
周方向において隣り合う上記ティース部の間の空間であるスロット部内に配置されると共に、上記ステータコアと上記コイルとの間に挟まれるスロット絶縁体と、
周方向において隣り合う上記コイルの間に配置されると共に、少なくとも２つに折り返され、第１径方向側に第１の端部と第２の端部とを有するコイル間絶縁体と
を備え、
上記スロット絶縁体は、周方向において隣り合う一方の上記ティース部の第１径方向側の先端部における周方向の端部よりも上記スロット部側に突出する第１の突出部と、他方の上記ティース部の第１径方向側の先端部における周方向の端部よりも上記スロット部側に突出する第２の突出部とを有し、
上記コイル間絶縁体の上記第１の端部は、周方向において隣り合う上記ティース部の上記先端部間のスロット開口部を第２径方向に投影した領域内にあり、かつ、上記スロット絶縁体の上記第１の突出部の第２径方向側に対向し、
上記コイル間絶縁体の上記第２の端部は、上記スロット開口部を第２径方向に投影した領域内にあり、かつ、上記スロット絶縁体の上記第２の突出部の第２径方向側に対向していることを特徴としている。
【０００７】
本明細書において、第１径方向側とは、径方向内側または径方向外側を意味する。また、第２径方向側とは、第１径方向側が径方向内側の場合は径方向外側を意味し、第１径方向側が径方向外側の場合は径方向内側を意味する。
【０００８】
上記構成のステータによれば、上記コイル間絶縁体の第１の端部は、上記スロット絶縁体の第１の突出部の第２径方向側に対向し、上記コイル間絶縁体の第２の端部は、上記スロット絶縁体の第２の突出部の第２径方向側に対向している。このため、上記第１，第２の突出部によってコイル間絶縁体を固定できる。
【０００９】
また、上記スロット絶縁体の第１の突出部は、周方向において隣り合う一方のティース部の第１径方向側の先端部における周方向の端部よりもスロット部側に突出している。上記スロット絶縁体の第２の突出部は、周方向において隣り合う他方のティース部の第１径方向側の先端部における周方向の端部よりもスロット部側に突出している。このため、例えばコイルの巻数を増加させ、上記コイル間絶縁体の第１，第２の端部が、上記ティース部の第１径方向側の先端部における周方向の端部よりもスロット部側に移動しても、上記第１，第２の端部を上記第１，第２の突出部の第２径方向側に対向させることができる。したがって、コイルの巻数を増加させ、コイルの占積率を低減することなく、コイル間絶縁体を固定できる。
一実施形態のステータでは、
上記コイル間絶縁体の上記第１の端部は、上記スロット絶縁体の上記第１の突出部に当接し、上記コイル間絶縁体の上記第２の端部は、上記スロット絶縁体の上記第２の突出部に当接している。
一実施形態のステータでは、
上記コイル間絶縁体の上記第１の端部は、上記スロット絶縁体の上記第１の突出部から離間し、上記コイル間絶縁体の上記第２の端部は、上記スロット絶縁体の上記第２の突出部から離間している。
一実施形態のステータでは、
上記スロット絶縁体の上記第１の突出部の先端部と、上記スロット絶縁体の上記第２の突出部の先端部とは、互いに離隔している。
【００１０】
一実施形態のステータでは、
上記コイルの周方向の端面は、上記ステータコアの上記ティース部の先端部における周方向の端部よりも周方向において隣り合う上記コイル間の周方向の中心側に位置している。
【００１１】
上記実施形態によれば、上記コイルの周方向の端面は、上記ステータコアの上記ティース部の先端部における周方向の端部よりも周方向において隣り合う上記コイル間の周方向の中心側に位置しているので、コイルの巻数を増加させ、コイルの占積率を向上できる。
【００１２】
一実施形態のステータでは、
上記コイル間絶縁体の上記第１の端部と上記第２の端部との少なくとも一方の端部は、上記コイル間絶縁体の内側に折り返された内側折り返し部を有している。
【００１３】
上記実施形態によれば、上記第１の端部と上記第２の端部との少なくとも一方の端部は、上記内側折り返し部を有している。このため、上記内側折り返し部が上記スロット絶縁体の第１の突出部または第２の突出部の第２径方向側に対向して、上記コイル間絶縁体と上記スロット絶縁体とが接触する面積を大きくすることができる。したがって、上記コイル間絶縁体をより確実に固定できる。
【００１４】
一実施形態のステータでは、
上記コイル間絶縁体の上記内側折り返し部の長さは、上記スロット絶縁体の上記第１の突出部と上記第２の突出部との間のスロット絶縁体開口部の周方向の幅よりも大きい。
【００１５】
上記実施形態によれば、上記内側折り返し部の長さは、上記スロット絶縁体開口部の周方向の幅よりも大きい。したがって、上記内側折り返し部がスロット絶縁体開口部を通るのを防止できて、上記コイル間絶縁体をより確実に固定できる。
【００１６】
一実施形態のステータでは、
上記内側折り返し部の長さは、周方向において隣り合う一方の上記ティース部の第１径方向側の先端部における周方向の端部と他方の上記ティース部の第１径方向側の先端部における周方向の端部との間のスロット開口部の周方向の幅よりも大きい。
【００１７】
上記実施形態によれば、上記内側折り返し部の長さは、上記スロット開口部の周方向の幅よりも大きい。したがって、上記内側折り返し部がスロット開口部を通るのを防止できて、上記コイル間絶縁体をより確実に固定できる。
【００１８】
一実施形態のステータでは、
上記コイル間絶縁体の上記第１の端部と上記第２の端部との少なくとも一方の端部は、上記コイル間絶縁体の外側に折り返された外側折り返し部を有している。
【００１９】
上記実施形態によれば、上記第１の端部と上記第２の端部との少なくとも一方の端部は、上記外側折り返し部を有している。このため、上記外側折り返し部が上記スロット絶縁体の第１の突出部または第２の突出部の第２径方向側に対向して、上記コイル間絶縁体と上記スロット絶縁体とが接触する面積を大きくすることができる。したがって、上記コイル間絶縁体をより確実に固定できる。
【００２０】
一実施形態のステータでは、
上記コイル間絶縁体の上記外側折り返し部の長さは、上記スロット絶縁体の上記第１の突出部と上記第２の突出部との間のスロット絶縁体開口部の周方向の幅よりも大きい。
【００２１】
上記実施形態によれば、上記外側折り返し部の長さは、上記スロット絶縁体開口部の周方向の幅よりも大きい。したがって、上記外側折り返し部がスロット絶縁体開口部を通るのを防止できて、上記コイル間絶縁体をより確実に固定できる。
【００２２】
一実施形態のステータでは、
上記外側折り返し部の長さは、周方向において隣り合う一方の上記ティース部の第１径方向側の先端部における周方向の端部と他方の上記ティース部の第１径方向側の先端部における周方向の端部との間のスロット開口部の周方向の幅よりも大きい。
【００２３】
上記実施形態によれば、上記外側折り返し部の長さは、上記スロット開口部の周方向の幅よりも大きい。したがって、上記外側折り返し部がスロット開口部を通るのを防止できて、上記コイル間絶縁体をより確実に固定できる。
【００２４】
一実施形態のステータでは、
上記コイル間絶縁体の上記第１の端部および上記第２の端部は、上記コイル間絶縁体の上記内側折り返し部を有し、これらの内側折り返し部は、互いに支え合っている。
【００２５】
上記実施形態によれば、上記第１の端部および上記第２の端部の上記内側折り返し部は、互いに支え合っている。したがって、上記内側折り返し部がそれぞれ折り返された状態を保持できて、上記コイル間絶縁体をより確実に固定できる。
【００２６】
一実施形態のステータでは、
上記コイル間絶縁体の上記第１の端部および上記第２の端部は、上記コイル間絶縁体の内側に折り返された上記内側折り返し部を有し、これらの内側折り返し部は、互いに係合し合う係合構造を有している。
【００２７】
上記実施形態によれば、上記第１の端部および上記第２の端部の上記内側折り返し部は、互いに係合し合っている。したがって、上記内側折り返し部がそれぞれ折り返された状態を強固に保持できて、上記コイル間絶縁体をより確実に固定できる。
【００２８】
一実施形態のステータでは、
上記スロット絶縁体の上記第１の突出部と上記第２の突出部との少なくとも一方の突出部は、周方向よりも第２径方向側に向かって延在している。
【００２９】
上記実施形態によれば、上記第１の突出部と上記第２の突出部との少なくとも一方の突出部は、周方向よりも第２径方向側に向かって延在している。したがって、例えばノズルを用いてステータコアの各ティース部に導線を巻回し、コイルを形成するときに、スロット絶縁体の上記第１の突出部または上記第２の突出部がノズルに巻き込まれるのを防止できる。
【００３０】
一実施形態のステータでは、
上記ステータコアの軸方向の両端面のそれぞれに対向して配置されたインシュレータを備え、上記インシュレータは、上記コイル間絶縁体の軸方向の移動を規制するための凸部を有している。
【００３１】
上記実施形態によれば、上記インシュレータの上記凸部によって上記コイル間絶縁体の軸方向の移動を規制するので、上記コイル間絶縁体をより確実に固定できる。
本発明のステータは、
円筒部と、この円筒部の周面から第１径方向側に突出すると共に周方向に配列された複数のティース部とを有するステータコアと、
上記ステータコアの上記ティース部に巻回されたコイルと、
周方向において隣り合う上記ティース部の間の空間であるスロット部内に配置されると共に、上記ステータコアと上記コイルとの間に挟まれるスロット絶縁体と、
周方向において隣り合う上記コイルの間に配置されると共に、少なくとも２つに折り返され、第１径方向側に第１の端部と第２の端部とを有するコイル間絶縁体と
を備え、
上記スロット絶縁体は、周方向において隣り合う一方の上記ティース部の第１径方向側の先端部における周方向の端部よりも上記スロット部側に突出する第１の突出部と、他方の上記ティース部の第１径方向側の先端部における周方向の端部よりも上記スロット部側に突出する第２の突出部とを有し、
上記コイル間絶縁体の上記第１の端部は、上記スロット絶縁体の上記第１の突出部の第２径方向側に対向し、上記コイル間絶縁体の上記第２の端部は、上記スロット絶縁体の上記第２の突出部の第２径方向側に対向していると共に、
上記コイル間絶縁体の上記第１の端部と上記第２の端部との少なくとも一方の端部は、上記コイル間絶縁体の内側に折り返された内側折り返し部を有しており、
上記スロット絶縁体の上記第１の突出部と上記第２の突出部の夫々は、第２径方向側に折れ曲がった状態で、上記コイル間絶縁体の上記内側折り返し部と対向していることを特徴とする。
本発明のステータは、
円筒部と、この円筒部の周面から第１径方向側に突出すると共に周方向に配列された複数のティース部とを有するステータコアと、
上記ステータコアの上記ティース部に巻回されたコイルと、
周方向において隣り合う上記ティース部の間の空間であるスロット部内に配置されると共に、上記ステータコアと上記コイルとの間に挟まれるスロット絶縁体と、
周方向において隣り合う上記コイルの間に配置されると共に、少なくとも２つに折り返され、第１径方向側に第１の端部と第２の端部とを有するコイル間絶縁体と
を備え、
上記スロット絶縁体は、周方向において隣り合う一方の上記ティース部の第１径方向側の先端部における周方向の端部よりも上記スロット部側に突出する第１の突出部と、他方の上記ティース部の第１径方向側の先端部における周方向の端部よりも上記スロット部側に突出する第２の突出部とを有し、
上記コイル間絶縁体の上記第１の端部は、上記スロット絶縁体の上記第１の突出部の第２径方向側に対向し、上記コイル間絶縁体の上記第２の端部は、上記スロット絶縁体の上記第２の突出部の第２径方向側に対向していると共に、
上記コイル間絶縁体の上記第１の端部と上記第２の端部との少なくとも一方の端部は、上記コイル間絶縁体の外側に折り返された外側折り返し部を有しており、
上記コイル間絶縁体の上記外側折り返し部の先端側が上記コイルの間に挟まれることにより、上記外側折り返し部が折り畳まれていることを特徴とする。
【００３２】
本発明のモータは、
ロータと、
このロータと径方向において対向するように配置された上記ステータと
を備えることを特徴としている。
【００３３】
上記構成のモータによれば、上記ステータを備えるから、効率を向上できる。
【００３４】
本発明の圧縮機は、
密閉容器と、
この密閉容器内に配置された圧縮機構部と、
上記密閉容器内に配置されると共に上記圧縮機構部を駆動する上記モータと
を備えることを特徴としている。
【００３５】
上記構成の圧縮機によれば、上記モータを備えるから、効率を向上できる。
【発明の効果】
【００３６】
本発明のステータによれば、コイル間絶縁体の第１の端部は、スロット絶縁体の第１の突出部の第２径方向側に対向し、コイル間絶縁体の第２の端部は、スロット絶縁体の第２の突出部の第２径方向側に対向しているので、コイルの占積率を低減することなく、コイル間絶縁体を固定できる。
【００３７】
本発明のモータによれば、上記ステータを備えるので、モータの性能を向上できる。
【００３８】
本発明の圧縮機によれば、上記モータを備えるので、圧縮機の性能を向上できる。
【図面の簡単な説明】
【００３９】
【図１】本発明の圧縮機の第１実施形態を示す縦断面図である。
【図２】上記圧縮機の要部の平面図である。
【図３】上記圧縮機のモータ付近を示すと共にステータの第１実施形態を示す横断面図である。
【図４】上記ステータの要部を示す拡大断面図である。
【図５】図３のＡ−Ａ断面図である。
【図６】本発明のステータの第２実施形態を示す要部拡大図である。
【図７】本発明のステータの第３実施形態を示す要部拡大図である。
【図８】本発明のステータの第４実施形態を示す要部拡大図である。
【図９】本発明のステータの第５実施形態を示す要部拡大図である。
【図１０】本発明のステータの第６実施形態を示す要部拡大図である。
【図１１】本発明のステータの第７実施形態を示す要部拡大図である。
【発明を実施するための形態】
【００４０】
以下、本発明を図示の実施形態により詳細に説明する。
【００４１】
（第１の実施形態）
図１は、本発明の圧縮機の一実施形態の縦断面図を示している。この圧縮機は、密閉容器１と、この密閉容器１内に配置された圧縮機構部２と、上記密閉容器１内に配置され、上記圧縮機構部２をシャフト１２を介して駆動するモータ３とを備えている。
【００４２】
この圧縮機は、いわゆる縦型の高圧ドーム型のロータリ圧縮機であって、上記密閉容器１内に、上記圧縮機構部２を下に、上記モータ３を上に、配置している。このモータ３のロータ６によって、上記シャフト１２を介して、上記圧縮機構部２を駆動するようにしている。
【００４３】
上記圧縮機構部２は、アキュームレータ１０から吸入管１１を通して冷媒ガスを吸入する。この冷媒ガスは、この圧縮機とともに、冷凍システムの一例としての空気調和機を構成する図示しない凝縮器、膨張機構、蒸発器を制御することによって得られる。この冷媒は、例えば、二酸化炭素やＨＣやＲ４１０Ａ等のＨＦＣ、Ｒ２２、Ｒ３２等のＨＣＦＣである。
【００４４】
上記圧縮機は、圧縮した高温高圧の冷媒ガスを、上記圧縮機構部２から吐出して密閉容器１の内部に満たすと共に、上記モータ３のステータ５と上記ロータ６との間の隙間を通して、上記モータ３を冷却した後、上記モータ３の上側に設けられた吐出管１３から外部に吐出するようにしている。
【００４５】
上記密閉容器１内の高圧領域の下部には、潤滑油が溜められた油溜まり部９が形成されている。この潤滑油は、上記油溜まり部９から、上記シャフト１２に設けられた（図示しない）油通路を通って、上記圧縮機構部２や上記モータ３のベアリング等の摺動部に移動して、この摺動部を潤滑する。この潤滑油は、例えば、（ポリエチレングリコールやポリプロピレングリコール等の）ポリアルキレングリコール油や、エーテル油や、エステル油や、鉱油である。
【００４６】
上記圧縮機構部２は、上記密閉容器１の内面に取り付けられるシリンダ２１と、このシリンダ２１の上下の開口端のそれぞれに取り付けられている上側の端板部材５０および下側の端板部材６０とを備える。上記シリンダ２１、上記上側の端板部材５０および上記下側の端板部材６０によって、シリンダ室２２を形成する。
【００４７】
上記上側の端板部材５０は、円板状の本体部５１と、この本体部５１の中央に上方へ設けられたボス部５２とを有する。上記本体部５１および上記ボス部５２は、上記シャフト１２に挿通されている。
【００４８】
上記本体部５１には、上記シリンダ室２２に連通する吐出口５１ａが設けられている。上記本体部５１に関して上記シリンダ２１と反対側に位置するように、上記本体部５１に吐出弁３１が取り付けられている。この吐出弁３１は、例えば、リード弁であり、上記吐出口５１ａを開閉する。
【００４９】
上記本体部５１には、上記シリンダ２１と反対側に、上記吐出弁３１を覆うように、カップ型のマフラカバー４０が取り付けられている。このマフラカバー４０は、（ボルト等の）固定部材３５によって、上記本体部５１に固定されている。上記マフラカバー４０は、上記ボス部５２に挿通されている。
【００５０】
上記マフラカバー４０および上記上側の端板部材５０によって、マフラ室４２を形成する。上記マフラ室４２と上記シリンダ室２２とは、上記吐出口５１ａを介して、連通されている。
【００５１】
上記マフラカバー４０は、孔部４３を有する。この孔部４３は、上記マフラ室４２と上記マフラカバー４０の外側とを連通する。
【００５２】
上記下側の端板部材６０は、円板状の本体部６１と、この本体部６１の中央に下方へ設けられたボス部６２とを有する。上記本体部６１および上記ボス部６２は、上記シャフト１２に挿通されている。
【００５３】
要するに、上記シャフト１２の一端部は、上記上側の端板部材５０および上記下側の端板部材６０に支持されている。すなわち、上記シャフト１２は、片持ちである。上記シャフト１２の一端部（支持端側）は、上記シリンダ室２２の内部に進入している。
【００５４】
上記シャフト１２の支持端側には、上記圧縮機構部２側の上記シリンダ室２２内に位置するように、偏心ピン２６を設けている。この偏心ピン２６は、ローラ２７に嵌合している。このローラ２７は、上記シリンダ室２２内で、公転可能に配置され、このローラ２７の公転運動で圧縮作用を行うようにしている。
【００５５】
言い換えると、上記シャフト１２の一端部は、上記偏心ピン２６の両側において、上記圧縮機構部２のハウジング７で支持されている。このハウジング７は、上記上側の端板部材５０および上記下側の端板部材６０を含む。
【００５６】
次に、上記シリンダ室２２の圧縮作用を説明する。
【００５７】
図２に示すように、上記ローラ２７に一体に設けたブレード２８で上記シリンダ室２２内を仕切っている。すなわち、上記ブレード２８の右側の室は、上記吸入管１１が上記シリンダ室２２の内面に開口して、吸入室（低圧室）２２ａを形成している。一方、上記ブレード２８の左側の室は、（図１に示す）上記吐出口５１ａが上記シリンダ室２２の内面に開口して、吐出室（高圧室）２２ｂを形成している。
【００５８】
上記ブレード２８の両面には、半円柱状のブッシュ２５，２５が密着して、シールを行っている。上記ブレード２８と上記ブッシュ２５，２５との間は、上記潤滑油で潤滑を行っている。
【００５９】
そして、上記偏心ピン２６が、上記シャフト１２と共に、偏心回転して、上記偏心ピン２６に嵌合した上記ローラ２７が、このローラ２７の外周面を上記シリンダ室２２の内周面に接して、公転する。
【００６０】
上記ローラ２７が、上記シリンダ室２２内で公転するに伴って、上記ブレード２８は、このブレード２８の両側面を上記ブッシュ２５，２５によって保持されて進退動する。すると、上記吸入管１１から低圧の冷媒ガスを上記吸入室２２ａに吸入して、上記吐出室２２ｂで圧縮して高圧にした後、（図１に示す）上記吐出口５１ａから高圧の冷媒ガスを吐出する。
【００６１】
その後、図１に示すように、上記吐出口５１ａから吐出された冷媒ガスは、上記マフラ室４２を経由して、上記マフラカバー４０の外側に排出される。
【００６２】
図１と図３に示すように、上記モータ３は、上記ロータ６と、このロータ６の径方向外側にエアギャップを介して配置された上記ステータ５とを有する。
【００６３】
上記ロータ６は、ロータ本体６１０と、このロータ本体６１０に埋設された磁石６２０とを有する。上記ロータ本体６１０は、円筒形状であり、例えば積層された電磁鋼板からなる。上記ロータ本体６１０の中央の孔部には、上記シャフト１２が取り付けられている。上記磁石６２０は、平板状の永久磁石である。６つの上記磁石６２０が、上記ロータ本体６１０の周方向に等間隔の中心角度で、配列されている。
【００６４】
上記ステータ５は、ロータ６と径方向において対向するように配置されている。より詳しくは、上記ステータ５は、ステータコア５１０と、上記ステータコア５１０の軸５１０ａ方向の両端面のそれぞれに対向して配置されたインシュレータ５３０と、上記ステータコア５１０および上記インシュレータ５３０に共に巻き付けられたコイル５２０とを有する。なお、図３では、上記コイル５２０および上記インシュレータ５３０を一部省略して描いている。
【００６５】
上記ステータコア５１０は、例えば積層された複数の鋼板からなり、上記密閉容器１に、焼き嵌めなどによって、嵌め込まれている。上記ステータコア５１０は、円筒部の一例としてのバックヨーク部５１１と、このバックヨーク部５１１の内周面から径方向内側に突出すると共に周方向に略等間隔に配列された９つのティース部５１２とを有する。
【００６６】
上記コイル５２０は、上記各ティース部５１２にそれぞれ巻かれて複数の上記ティース部５１２に渡って巻かれていない、いわゆる集中巻きである。上記モータ３は、いわゆる６極９スロットである。上記コイル５２０に電流を流してステータ５に発生する電磁力によって、ロータ６を、シャフト１２と共に、回転させる。
【００６７】
上記インシュレータ５３０は、上記ステータコア５１０と上記コイル５２０との間に挟持され、上記ステータコア５１０と上記コイル５２０とを絶縁している。上記インシュレータ５３０は、例えば、樹脂によりモールド成型されている。インシュレータ５３０は、環状部５３１と、この環状部５３１の内周面から径方向内側に突出すると共に周方向に略等間隔に配列された９つの歯部５３２とを有する。これらの歯部５３２は、ステータコア５１０のティース部５１２の軸方向の両端面のそれぞれに対向して位置している。
【００６８】
図３と図４に示すように、周方向において隣り合うティース部５１２の間の空間であるスロット部５１４内には、ティース部５１２およびバックヨーク部５１１の内周面に沿って、スロット絶縁体７１が設けられている。周方向において隣り合うコイル５２０の間には、２つに折り返されたコイル間絶縁体７２が挿入されている。スロット絶縁体７１およびコイル間絶縁体７２は、樹脂製の絶縁フィルムや樹脂成形物などの樹脂材料からなる。この樹脂としては、例えばポリエチレンテレフタレート（ＰＥＴ）などを用いる。
【００６９】
上記スロット絶縁体７１は、ティース部５１２とコイル５２０との間に挟まれている。スロット絶縁体７１は、第１の突出部７１１ａと第２の突出部７１２ａとを有している。第１の突出部７１１ａは、周方向において隣り合う一方のティース部５１２の径方向内側の先端部５１２Ａにおける周方向の端部５１２ａよりもスロット部５１４側に周方向に突出している。第２の突出部７１２ａは、周方向において隣り合う他方のティース部５１２の径方向内側の先端部５１２Ａにおける周方向の端部５１２ｂよりもスロット部５１４側に周方向に突出している。第１の突出部７１１ａの先端部と第２の突出部７１２ａの先端部とは、周方向に対向すると共に、わずかに離隔している。
【００７０】
上記コイル間絶縁体７２は、第１の端部７２１と第２の端部７２２とを有している。これら第１の端部７２１と第２の端部７２２とは、コイル５２０の径方向内側の端面５２０ｂよりも径方向内側に突出して位置している。第１の端部７２１と第２の端部７２２とは、これら第１の端部７２１と第２の端部７２２との間の周方向の距離が、先端側に向かうにつれて、すなわち径方向内側に向かうにつれて、次第に大きくなるように逆「ハ」字形に対向している。コイル間絶縁体７２の第１の端部７２１の先端は、スロット絶縁体７１の第１の突出部７１１ａの径方向外側の面に当接し、コイル間絶縁体７２の第２の端部７２２の先端は、スロット絶縁体７１の第２の突出部７１２ａの径方向外側の面に当接している。
【００７１】
上記コイル５２０の周方向の端面５２０ａは、周方向において、ティース部５１２の先端部５１２Ａにおける周方向の端部５１２ａ，５１２ｂよりもそれぞれ周方向において隣り合うコイル５２０間の周方向の中心側に位置している。
【００７２】
図３と図５に示すように、インシュレータ５３０は、ステータコア５１０のバックヨーク部５１１の内周面５１１ａよりも周方向内側に突出する断面略四角形状の凸部５３５を有している。この凸部５３５は、コイル間絶縁体７２の軸方向の両端面のそれぞれに対向して位置している。このため、凸部５３５によってコイル間絶縁体７２の軸方向の移動を規制する。
【００７３】
上記構成のステータ５によれば、コイル間絶縁体７２の第１の端部７２１は、スロット絶縁体７１の第１の突出部７１１ａに当接し、コイル間絶縁体７２の第２の端部７２２は、スロット絶縁体７１の第２の突出部７１２ａに当接している。このため、第１，第２の突出部７１１ａ，７１２ａによってコイル間絶縁体７２を固定できる。具体的には、モータ３の振動、冷媒の流れ、または空気の流れなどによりコイル間絶縁体７２が径方向内側へ飛び出すのを第１，第２の突出部７１１ａ，７１２ａによって防止できる。
【００７４】
また、スロット絶縁体７１の第１の突出部７１１ａは、周方向において隣り合う一方のティース部５１２の径方向内側の先端部５１２Ａにおける周方向の端部５１２ａよりもスロット部５１４側に突出している。スロット絶縁体７１の第２の突出部７１２ａは、周方向において隣り合う他方のティース部５１２の径方向内側の先端部５１２Ａにおける周方向の端部５１２ｂよりもスロット部５１４側に突出している。このため、例えばコイル５２０の巻数を増加させ、コイル間絶縁体７２の第１，第２の端部７２１，７２２が、ティース部５１２の径方向内側の先端部５１２Ａにおける周方向の端部５１２ａよりもスロット部５１４側に移動しても、第１，第２の端部７２１，７２２を第１，第２の突出部７１１ａ，７１２ａに当接させることができる。したがって、コイル５２０の巻数を増加させ、コイル５２０の占積率を低減することなく、コイル間絶縁体７２を固定できる。
【００７５】
また、コイル５２０の周方向の端面５２０ａは、周方向において、ステータコア５１０のティース部５１２の先端部５１２Ａにおける周方向の端部５１２ａ，５１２ｂよりも周方向において隣り合うコイル５２０間の周方向の中心側に位置しているので、コイル５２０の巻数を増加させ、コイル５２０の占積率をより向上できる。
【００７６】
また、インシュレータ５３０の凸部５３５によってコイル間絶縁体７２の軸方向の移動を規制するので、コイル間絶縁体７２をより確実に固定できる。
【００７７】
また、上記構成のモータ３によれば、コイルの占積率を向上できるステータ５を備えるから、性能を向上できる。
【００７８】
また、上記構成の圧縮機によれば、モータ３を備えるから、性能を向上できる。
【００７９】
（第２の実施形態）
図６は、本発明のステータの第２の実施形態を示す要部拡大図である。具体的には、図６は、コイル間絶縁体７２の第１，第２の端部７２１，７２２付近を拡大した断面図である。上記第１の実施形態と相違する点を説明すると、この第２の実施形態では、コイル間絶縁体７２の第１，第２の端部７２１，７２２の形状が相違する。なお、この第２の実施形態において、上記第１の実施形態と同一の符号は、上記第１の実施形態と同じ構成であるため、その説明を省略する。
【００８０】
図６に示すように、コイル間絶縁体７２の第１の端部７２１および第２の端部７２２は、コイル間絶縁体７２の外側に略９０°折り返された外側折り返し部７２６ａを有している。外側折り返し部７２６ａは、スロット絶縁体７１の第１，第２の突出部７１１ａ，７１２ａに沿って延在している。外側折り返し部７２６ａの径方向内側の面と第１，第２の突出部７１１ａ，７１２ａの径方向外側の面とが当接している。
【００８１】
したがって、外側折り返し部７２６ａがスロット絶縁体７１の第１，第２の突出部７１１ａ，７１２ａに当接して、コイル間絶縁体７２とスロット絶縁体７１とが接触する面積を大きくすることができるので、コイル間絶縁体７２をより確実に固定できる。
【００８２】
（第３の実施形態）
図７は、本発明のステータの第３の実施形態を示す要部拡大図である。具体的には、図７は、コイル間絶縁体７２の第１，第２の端部７２１，７２２付近を拡大した断面図である。上記第１の実施形態と相違する点を説明すると、この第３の実施形態では、コイル間絶縁体７２の第１，第２の端部７２１，７２２の形状が相違する。なお、この第３の実施形態において、上記第１の実施形態と同一の符号は、上記第１の実施形態と同じ構成であるため、その説明を省略する。
【００８３】
図７に示すように、コイル間絶縁体７２の第１の端部７２１および第２の端部７２２は、コイル間絶縁体７２の内側に略１２０°折り返された内側折り返し部７２７ａを有している。内側折り返し部７２７ａは、スロット絶縁体７１の第１，第２の突出部７１１ａ，７１２ａに沿って位置している。内側折り返し部７２７ａの径方向内側の面と第１，第２の突出部７１１ａ，７１２ａの径方向外側の面とが当接している。
【００８４】
したがって、内側折り返し部７２７ａがスロット絶縁体７１の第１，第２の突出部７１１ａ，７１２ａに当接して、コイル間絶縁体７２とスロット絶縁体７１とが接触する面積を大きくすることができるので、コイル間絶縁体７２をより確実に固定できる。
【００８５】
（第４の実施形態）
図８は、本発明のステータの第４の実施形態を示す要部拡大図である。具体的には、図８は、コイル間絶縁体７２の第１，第２の端部７２１，７２２付近を拡大した断面図である。上記第１の実施形態と相違する点を説明すると、この第４の実施形態では、コイル間絶縁体７２の第１，第２の端部７２１，７２２の形状が相違する。なお、この第４の実施形態において、上記第１の実施形態と同一の符号は、上記第１の実施形態と同じ構成であるため、その説明を省略する。
【００８６】
図８に示すように、コイル間絶縁体７２の第１の端部７２１および第２の端部７２２は、コイル間絶縁体７２の外側に略１８０°折り返された外側折り返し部７２６ｂを有している。外側折り返し部７２６ｂの先端側の一部は、コイル５２０とコイル５２０との間に位置している。外側折り返し部７２６ｂの先端と反対側であって径方向内側の一端は、スロット絶縁体７１の第１，第２の突出部７１１ａ，７１２ａの周方向外側の面に当接している。
【００８７】
外側折り返し部７２６ｂの長手方向の長さＬｓは、スロット絶縁体７１の第１の突出部７１１ａと第２の突出部７１２ａとの間のスロット絶縁体開口部７１５の周方向の幅Ｄｔよりも大きい。また、外側折り返し部７２６ｂの長手方向の長さＬｓは、周方向において隣り合う一方のティース部５１２の径方向内側の先端部５１２Ａにおける周方向の端部５１２ａと他方のティース部５１２の径方向内側の先端部５１２Ａにおける周方向の端部５１２ｂとの間のスロット開口部５１５の周方向の幅Ｄｓよりも大きい。
【００８８】
したがって、外側折り返し部７２６ｂがスロット絶縁体開口部７１５を通るのを防止できて、コイル間絶縁体７２をより確実に固定できる。また、外側折り返し部７２６ｂがスロット開口部５１５を通るのを防止できて、コイル間絶縁体７２をより確実に固定できる。
【００８９】
（第５の実施形態）
図９は、本発明のステータの第５の実施形態を示す要部拡大図である。具体的には、図９は、コイル間絶縁体７２の第１，第２の端部７２１，７２２付近を拡大した断面図である。上記第１の実施形態と相違する点を説明すると、この第５の実施形態では、スロット絶縁体７１の第１，第２の突出部７１１ｂ，７１２ｂの形状が相違する。なお、この第５の実施形態において、上記第１の実施形態と同一の符号は、上記第１の実施形態と同じ構成であるため、その説明を省略する。
【００９０】
図９に示すように、スロット絶縁体７１の第１の突出部７１１ｂと第２の突出部７１２ｂとは、周方向よりも径方向外側に向かって延在している。具体的には、第１の突出部７１１ｂと第２の突出部７１２ｂとは、これら第１の突出部７１１ｂと第２の突出部７１２ｂとの間の周方向の距離が、第１の突出部７１１ｂの先端側および第２の突出部７１２ｂの先端側に向かうにつれて、すなわち、径方向外側に向かうにつれて次第に小さくなるように逆「ハ」字形に対向している。
【００９１】
したがって、例えばノズルを用いてステータコア５１０の各ティース部５１２に導線を巻回し、コイル５２０を形成するときに、スロット絶縁体７１の第１の突出部７１１ｂと第２の突出部７１２ｂがノズルに巻き込まれるのを防止できる。
【００９２】
（第６の実施形態）
図１０は、本発明のステータの第６の実施形態を示す要部拡大図である。具体的には、図１０は、コイル間絶縁体７２の第１，第２の端部７２１，７２２付近を拡大した断面図である。上記第５の実施形態と相違する点を説明すると、この第６の実施形態では、コイル間絶縁体７２の第１，第２の端部７２１，７２２の形状が相違する。なお、この第６の実施形態において、上記第５の実施形態と同一の符号は、上記第５の実施形態と同じ構成であるため、その説明を省略する。
【００９３】
図１０に示すように、コイル間絶縁体７２の第１の端部７２１および第２の端部７２２は、コイル間絶縁体７２の内側に略Ｕ字形に折り返された内側折り返し部７２７ｂをそれぞれ有している。これら内側折り返し部７２７ｂの先端側の一部は、コイル５２０とコイル５２０との間に位置している。内側折り返し部７２７ｂの径方向内側の面は、スロット絶縁体７１の第１，第２の突出部７１１ｂ，７１２ｂの径方向外側の面にそれぞれ対向している。
【００９４】
内側折り返し部７２７ｂ間の周方向の距離は、内側折り返し部７２７ｂの先端側に向かうにつれて、すなわち、径方向外側に向かうにつれて小さくなり、内側折り返し部７２７ｂの先端部で互いに当接している。このように、内側折り返し部７２７ｂは、互いに支え合うように配置されている。コイル間絶縁体７２の第１の端部７２１および第２の端部７２２は、内側折り返し部７２７ｂによって、コイル間絶縁体７２の外側に、すなわち周方向においてコイル５２０側にそれぞれ押し広げられている。このため、第１の端部７２１および第２の端部７２２は、コイル５２０にそれぞれ当接している。
【００９５】
したがって、内側折り返し部７２７ｂがそれぞれ折り返された状態を保持できて、コイル間絶縁体７２をより確実に固定できる。
【００９６】
（第７の実施形態）
図１１は、本発明のステータの第７の実施形態を示す要部拡大図である。具体的には、図１１は、コイル間絶縁体７２の第１，第２の端部７２１，７２２付近を拡大した断面図である。上記第５の実施形態と相違する点を説明すると、この第７の実施形態では、コイル間絶縁体７２の第１，第２の端部７２１，７２２の形状が相違する。なお、この第７の実施形態において、上記第５の実施形態と同一の符号は、上記第５の実施形態と同じ構成であるため、その説明を省略する。
【００９７】
図１１に示すように、コイル間絶縁体７２の第１の端部７２１および第２の端部７２２は、コイル間絶縁体７２の内側に略１５０°折り返された内側折り返し部７２７ｃをそれぞれ有している。内側折り返し部７２７ｃの径方向内側の面は、スロット絶縁体７１の第１，第２の突出部７１１ｂ，７１２ｂの径方向外側の面にそれぞれ対向している。
【００９８】
内側折り返し部７２７ｃ間の周方向の距離は、内側折り返し部７２７ｃの先端側に向かうにつれて、すなわち、径方向外側に向かうにつれて小さくなり、内側折り返し部７２７ｃの先端部で互いに交差している。このように、内側折り返し部７２７ｃは、互いに係合し合う係合構造を有している。コイル間絶縁体７２の第１の端部７２１および第２の端部７２２は、内側折り返し部７２７ｃによって、コイル間絶縁体７２の外側に、すなわち周方向においてコイル５２０側にそれぞれ押し広げられている。このため、第１の端部７２１および第２の端部７２２は、コイル５２０にそれぞれ当接している。
【００９９】
また、内側折り返し部７２７ｃは、軸方向に沿って互いにクシ形に形成され、このクシ形の凹凸が互いにかみ合うように係合している。
【０１００】
したがって、内側折り返し部７２７ｃがそれぞれ折り返された状態を強固に保持できて、コイル間絶縁体７２をより確実に固定できる。
【０１０１】
なお、上記第２〜第７の実施形態では、コイル間絶縁体７２は２つに折り返されていた。しかしながら、これに限らず、コイル間絶縁体が、３つに折り返されてＷ字状になっていても、４つ以上に折り返されていてもよい。
【０１０２】
また、上記第１〜第７の実施形態では、コイル５２０の周方向の端面５２０ａは、ステータコア５１０のティース部５１２の先端部５１２Ａにおける周方向の端部５１２ａ，５１２ｂよりも周方向において隣り合うコイル５２０間の周方向の中心側に位置していた。しかしながら、これに限らず、例えば、コイルの周方向の端面とステータコアのティース部の先端部における周方向の端部とが、周方向において同じ位置に設けられていてもよい。
【０１０３】
また、上記第１〜第７の実施形態では、インシュレータ５３０の凸部５３５は、断面略四角形状であった。しかしながら、これに限らず、インシュレータの凸部は、断面略三角形状や台形状であってもよく、凸部によってコイル間絶縁体の軸方向の移動を規制できればよい。
【０１０４】
また、上記第１〜第５の実施形態では、コイル間絶縁体７２の第１の端部７２１は、スロット絶縁体７１の第１の突出部７１１ａの径方向外側の面に当接し、コイル間絶縁体７２の第２の端部７２２は、スロット絶縁体７１の第２の突出部７１２ａの径方向外側の面に当接していた。しかしながら、これに限らず、コイル間絶縁体の第１の端部は、スロット絶縁体の第１の突出部の径方向外側に対向し、コイル間絶縁体の第２の端部は、スロット絶縁体の第２の突出部の径方向外側に対向していればよい。
【０１０５】
また、上記第２の実施形態では、コイル間絶縁体７２の第１の端部７２１および第２の端部７２２は、コイル間絶縁体７２の外側に略９０°折り返された外側折り返し部７２６ａを有していた。しかしながら、これに限らず、コイル間絶縁体の第１の端部と第２の端部との少なくとも一方の端部が外側折り返し部を有していればよい。また、外側折り返し部は、コイル間絶縁体の外側に例えば、３０°，６０°，１２０°など９０°以外の角度で折り返されていてもよい。
【０１０６】
また、上記第３の実施形態では、コイル間絶縁体７２の第１の端部７２１および第２の端部７２２は、コイル間絶縁体７２の内側に略１２０°折り返された内側折り返し部７２７ａを有していた。しかしながら、これに限らず、コイル間絶縁体の第１の端部と第２の端部との少なくとも一方の端部が内側折り返し部を有していればよい。また、内側折り返し部は、コイル間絶縁体の内側に例えば、３０°，６０°，１２０°など９０°以外の角度で折り返されていてもよい。また、例えば、第１の端部が内側折り返し部を有し、第２の端部が外側折り返し部を有していてもよい。
【０１０７】
また、上記第４の実施形態では、コイル間絶縁体７２の第１の端部７２１および第２の端部７２２は、コイル間絶縁体７２の外側に略１８０°折り返された外側折り返し部７２６ｂを有していた。しかしながら、これに限らず、コイル間絶縁体の第１，第２の端部は、外側折り返し部または内側折り返し部を有していればよい。また、外側折り返し部または内側折り返し部は、コイル間絶縁体の外側または内側に例えば、３０°，６０°，１２０°など９０°以外の角度で折り返されていてもよい。また、例えば、第１の端部が内側折り返し部を有し、第２の端部が外側折り返し部を有していてもよい。
【０１０８】
また、上記第４の実施形態では、外側折り返し部７２６ｂの長さＬｓは、スロット開口部５１５の周方向の幅Ｄｓよりも大きい。しかしながら、これに限らず、外側折り返し部の長さは、スロット開口部５１５の周方向の幅Ｄｓより小さくてもよい。
【０１０９】
また、上記第５の実施形態では、スロット絶縁体７１の第１の突出部７１１ｂと第２の突出部７１２ｂとは、これら第１の突出部７１１ｂと第２の突出部７１２ｂとの間の周方向の距離が、径方向外側に向かうにつれて次第に小さくなるように逆「ハ」字形に対向していた。しかしながら、これに限らず、スロット絶縁体の第１の突出部または第２の突出部の少なくとも一方の突出部が、周方向よりも径方向外側に向かって延在していればよい。
【０１１０】
本発明の具体的な実施形態について説明したが、本発明は上記実施形態に限定されるものではなく、本発明の範囲内で種々変更して実施することができる。例えば、本発明のステータは、インナーロータを備えるモータだけでなく、アウターロータを備えるモータにも適用できる。
【符号の説明】
【０１１１】
１  密閉容器
２  圧縮機構部
３  モータ
５  ステータ
６  ロータ
７１  スロット絶縁体
７２  コイル間絶縁体
５１０  ステータコア
５１１  バックヨーク部
５１２  ティース部
５１２Ａ  先端部
５１２ａ，５１２ｂ  周方向の端部
５１４  スロット部
５１５  スロット開口部
５２０  コイル
５２０ａ  周方向の端面
５３０  インシュレータ
５３５  凸部
７１１ａ，７１１ｂ  第１の突出部
７１２ａ，７１２ｂ  第２の突出部
７１５  スロット絶縁体開口部
７２１  第１の端部
７２２  第２の端部
７２６ａ，７２６ｂ  外側折り返し部
７２７ａ，７２７ｂ，７２７ｃ  内側折り返し部
【図１】
0006467796.tif 000002
【図２】
0006467796.tif 000003
【図３】
0006467796.tif 000004
【図４】
0006467796.tif 000005
【図５】
0006467796.tif 000006
【図６】
0006467796.tif 000007
【図７】
0006467796.tif 000008
【図８】
0006467796.tif 000009
【図９】
0006467796.tif 000010
【図１０】
0006467796.tif 000011
【図１１】
0006467796.tif 000012